(57)【要約】      （修正有）【課題】薄型、軽量、柔軟性がある吸収構造で、液体管理に長けている高濃縮吸収ポリマー素材を含む吸収構造を提供する。【解決手段】吸収製品として個人衛生業界で使用されるのはもとより、食物、消費者、家庭、建築、美容や医療業界で使用されるのが望ましい。この吸収構造はキャリヤー層と補助層そして吸収素材が間に挟まっていて、第一ジョイントと第二ジョイントがキャリヤー層と補助層と一緒に結合していて、第一ジョイントは実質的に無傷だが、第二ジョイントは吸収構造の液体吸収により緩む。さらに、本吸収構造は吸収構造が液体にさらされることにより非均等に膨張し液体管理の表面構造が形成される。薄型で軽量の吸収構造の必要性を予測し、最適なフィットで液体の吸収、配置また格納するという課題を克服している。【選択図】図１
0003172565.tif 000002
【実用新案登録請求の範囲】
【請求項１】
吸収構造（14）はキャリヤー層（101）と補助層と吸収素材（110）が重なり合って形成され、該キャリヤー層と該補助層のなかに第一ジョイント（111、114）と第二ジョイント（112,115）が含まれ、該キャリヤー層と該補助層が一緒になって多重層を形成し、液体にさらされて、第一ジョイントは実質的に無傷だが、該吸収構造での第二ジョイントの結合が緩まるという特徴をもつ吸収構造。
【請求項２】
吸収構造は非均等に膨張する特徴がある請求項１の吸収構造。
【請求項３】
吸収構造のジョイントは、少なくとも部分的に熱、機械的、物理的、化学的、熱機械的および、または超音波の過程を経由して形成されている請求項１又は２の吸収構造。
【請求項４】
吸収構造は最低でも60％の吸収素材が吸収微粒子ポリマー素材である請求項１〜３のいずれか一に記載の吸収構造。
【請求項５】
吸収構造は最低でもキャリヤー層および/または補助層が、ティシュー、不織布または熱可塑性層である請求項１〜４のいずれか一に記載の吸収構造。
【請求項６】
吸収構造は最低でも一つのポケットに吸収素材として吸収ポリマー素材が含まれていて、乾燥状態においては吸収構造は実質的に均等な厚みを供給しているが、濡らすと液体調整用のコンパートメントが非均等な厚みを供給する請求項１〜５のいずれか一に記載の吸収構造。
【請求項７】
吸収構造は、吸収容量は最低でも100ｇｍ2であり、又は最低200ｇｍ2であり、又は最低500ｇｍ2である請求項１〜６のいずれか一に記載の吸収構造。
【請求項８】
吸収構造は、バリヤー又は堤防に囲まれた拡張可能ポケットの作り出される余剰ボリュームは、元のボリュームの最低でも5％、又は15％、又は25％である請求項１〜７のいずれか一に記載の吸収構造。
【考案の詳細な説明】
【技術分野】
【０００１】
本考案は統合された液体管理システムにおいて使用される高分子吸収性ポリマー素材を含む、吸収構造に関するものである。
【背景技術】
【０００２】
高分子吸収性ポリマー素材を含む構造は次のように知られている。WO95/26209、これを具体的な参照とすると、生理汚物や尿を封じ込めるのに有用な吸収構造で、吸収性ポリマー素材が重量の約60％から100％の部分に含まれているもの。高分子吸収性ポリマー素材が約50-100ｇｓｍ量で均一かつ連結された繊維質サポート素材として実質的に存在しないと液体管理に支障が出る。液体管理に支障が出るということは、吸収性ポリマー素材の乾燥部分や、または濡れた状態での一貫性が不足しているということを意味する。これにより、物質的に（間質空間と毛細組織を通して液体を取り込み、運ぶ能力）液体が存在することで実質的に分解、変更しハイドロゲルが連続して形成され膨張する。通常の使用状況において、吸収構造に張力およびねじれの力を加えると液体管理に支障が出ることにより、ハイドロゲルの層が無作為に分離し、隙間ができ、著しく薄い部分や、または複数に分割され性能に支障が出ることで、吸収構造の特性である浸透性と流動伝導率が最小化および、または完全に一貫性をなくし、性能に問題が生じる。液体管理の特性を高めるために吸収構造に容積を追加し、厚みと重さが増すことにより、柔軟性が低減し、コストが上がり、吸収製品の非常に好ましくない有害な環境範囲が増す。
【先行技術文献】
【特許文献】
【０００３】
【特許文献１】WO95/26209
【考案の概要】
【考案が解決しようとする課題】
【０００４】
よって、薄型、軽量、柔軟性がある吸収構造で、液体管理に長けている高濃縮吸収ポリマー素材であり、なおかつ製造、マーケティング、デザイン、フィット感、快適性、流通、包装、廃棄、材料、エネルギー、輸送コスト等を鑑みた製品の提供が期待される。
【課題を解決するための手段】
【０００５】
本考案からなる製品は小さなポケットと大きなコンパートメントで、吸収ポリマー素材が継続し固定されるたことにより、吸収構造が解決され、半永久的な第一グリッドと一時的な第二ジョイントパターンにより乾燥常態か液体が部分的または全体的に含まれてる状態でも、このようなポケットとコンパートメントの特徴により吸収性ポリマー素材を適切に管理する。このようなジョイントは液体吸収時で膨張、拡張をしているときでも、吸収素材に過剰な制限を与えることなく適切な固定を可能にすることにより、使用率の低下、性能の損失や、性能への悪影響を防止する。
【考案の効果】
【０００６】
吸収性ポリマーを抑制し、カバーまたは接着のために使用される合成固定混合剤の完全除去または減量が望ましく、（例：ウェブやバインダーや熱可塑性接着剤）このような吸収構造が技術、環境、および経済的に非常に有利となる。
【０００７】
本考案は、吸収性製品、女性用衛生用品、赤ちゃんのおむつやトレーニングパンツ、成人用排泄用品、様々な吸収ホルダー、ライナー、タオルや挿入用品等に限らず、吸収製品で使用される機能と構造を著しく高めた吸収構造を提供している。
【考案を実施するための形態】
【０００８】
本考案の好ましい実施形態を例とすると、吸収性ポリマー素材、特に高浸透性SAP等の吸収性微粒子ポリマー素材が含まれたものが望ましい。先行吸収素材は、吸収素材が均等な方法で液体の吸収能力に達するまで、または様々な吸収構造の領域に膨張やボリュームの拡張した吸収素材によってフリースペースが占拠されまで十分に拡張する。巨視的な液体管理構造が存在せず、高いリスクで横漏れが発生するため、吸収製品の複雑な表面および、または側面バリア構造の提供が必要とされている。
【０００９】
吸収性ポリマー素材が液体を吸収して膨張するとき、実際に特定のパターンや配置で処理され、で急速また効果的、効率的に実行されていることが発見された。吸収性ポリマー素材の事前に定義された場所への設置と非常に正確な量の投与により、最適な吸収性、フィット感および、または快適性を得るのに役立つ。
それ故に、吸収性ポリマー素材が意図された場所に配置され、吸収構造内での不要な移動と抑制されていない動きを避け、吸収性微粒子ポリマー素材が完全に液体負荷状態および、または部分的に液体負荷状態であっても、吸収構造を経由して固定または抑制されることが望ましい。
【００１０】
本考案による吸収構造はキャリヤー層と補助層と吸収ポリマー剤が重なり合って形成され、前述のキャリヤー層と前述の補助層のなかに事前に組み込まれたグリッドと第一ジョイントのパターン及び第二ジョイントが接合されている。前述の層を一緒に包み込む。第二ジョイントは、前述の構造が液体、蒸気および、または湿気にさらされると緩和され、溶けて、弱くなるか、または分離される。第一ジョイントは通常の使用では実質的に無傷のままである。
【００１１】
「接続」「ジョイント」又は「接続される」はこれ以降要素が直接別の要素に付随して固定されていること、もしくは要素が中間体に付随して間接的に固定されているか、または中間体が別の要素に付随して固定されている場合にも「接続」「付随」「安定「固定」「結合」「連結」等を同意義として対応し設定する。
【００１２】
この吸収構造は乾燥した状態で吸収素材をしっかり捕らえ固定および、または抑制する能力により区別される。吸収構造が液体を吸収し、濡れている間でも、大きなサイズの抑制のなくなったコンパートメント以外、第一ジョイントは本質的な水分抵抗により、吸収構造の構造上の整合性の保護を根本的に助け、第二のジョイントは他に前例のない機能の向上により徐々に拡張と膨張をしている間に吸収物をしっかり封じ込める。
【００１３】
乾燥、部分的に濡れているか、または全体に濡れている状態の吸収構造のジョイントグリッドとパターンは現存の利用や使用可能な吸収素材で発揮される機能と調和していることが望ましい。第一ジョイントと第二ジョイントを同じ又は同じような状況で吸収中と吸収後の整合性を見ると、第一ジョイントの整合性が一層よく保持されている。
【００１４】
第一ジョイントと第二のジョイントの 初期拘束の除去と、使用時の繰り延べ液体管理システムが、優れた性能と大幅な原料節約に結びつき、吸収素材をより正確、効率的に配置し集合させ、使用時にのみ余分なボリュームとスペースを解放することで、製造、保管、輸送の利点に結びつく。改善され制御された液体吸湿発散と分散により、吸収されない（例：飽和状態）または吸収可能な（例：飽和されていない）エリアの液体コミュニケーションの改善をもたらす。
【００１５】
吸収、液体の配分、輸送、保管、漏れ量、繰り返し濡れた値のさらなる改善には、液体が望ましい方向に導かれるために水路、運河および、または堤防のような働きを高さ、嵩、窪みおよび、または谷間で実現し、直接的、巨視的な表面構造を持つのが好ましい。 この吸収構造はキャリヤー層、補助層、吸収素材が重なり合い、その中に第一ジョイントと第二ジョイントが結合して構成されている。前述のキャリヤー層と前述の補助層が一緒になり吸収素材を液体にさらすことにより非均等に膨張する液体管理表面構造がこの吸収構造を特徴付ける。
【００１６】
３次元で、巨視的表面構造が必要な時のみ現われ、機能するのが望ましい理由として、最適な柔軟性、フィット感、快適性、輸送や貯蔵の効率性が挙げられる。例えば、吸収製品の使用前に存在せず、製品が部分的および、または全体的に液体で濡れた状態にある場合に現れる。本考案は間接的機能、すなわち乾燥状態では「隠れた「機能でありながら、濡れてから」解き放たれ」高さと嵩および、または窪みのある機能的で立体的な三次元の吸収構造が「姿を現す」 吸収構造の三次元膨張は、吸収性ポリマー素材の差異的な膨張かジョイント離脱による差異的なパターン、もしくはそれらの組み合わせによって引き起こされる。望ましい実施形態は、吸収構造の吸収素材が吸収能力の異なる構成で、最低で25％、50％が望ましいが、できれば100％が最も望ましい。例として、もともと平らなカフが二箇所の高吸収エリアの間に接続されていて、このエリアが液体吸収により膨張し解放され起き上がる。
【００１７】
考案者は、内在的で、合併され、表在性のある液体管理システムの巨視的な表面構造を構成する機能により、漏れと不具合を最小限に抑え、度重なる濡れとゲルの閉鎖を制限し、著しい増加に対し効果的また効率的に原料素材の使用を確保し、追加された液体を配置、移動、固定し、目的の場所に向かって液体を誘導することによってこれまでにない液体管理を可能にするということをみいだした。
【００１８】
吸収構造により吸収された液体の膨張とボリュームの増大は、ジョイントパターンの過程を喪失するか、少しずつ増す分離の結果によって、それぞれのスペースとボリュームが作られるのが理想的である。乾燥固定してあるボリュームの少ない吸収素材は第一と第二ジョイントが合成され形成されて、小さい（より小さい）ポケットに確保されている。濡れてボリュームの多い吸収素材は液体、蒸気および、または湿気の影響下で部分的または全体的に解き放たれた無処置のジョイントパタンーにより特徴付けられ、拡張している大きな（より大きな）コンパートメントに継続的に確保されている。吸収素材がかなりのボリュームになると、継続的に吸収素材を抑制することが重要になる。適切にデザインされた吸収構造は徐々に濡れ、膨張の過程で、過不足または過度の拘束をせず、速すぎずまたは遅すぎずに第二ジョイントの分離を行い吸収素材が徐々に拡張できるようにしてある。結合の強度は吸収構造と製品のサイズ、形、使用時間、機能にもよるが要求されているパラメーターで十分である。
【００１９】
第一ジョイントが液体の影響下で著しく無処置のまま残存できるという定義は、誇張されたり、厳しいおよび、または過酷な条件の下での状態を除き、例えば、異常なリットル量の液体や幾日にも渡って極端な接触がある場合を除く使用、利用、状態、使用時のタイミング、液体の量、間隔、室温、および、または体温が比較的通常の望ましい状況に特徴付けられていることと定義する。このようなケースは好ましくはないが、初期に液体抵抗のある第一ジョイントが緩み、離れ、損なわれる可能性も最終的にはあり得る。上記されているように、通常より長期間に渡るか、または過酷な使用状況の後、このような第一ジョイントは最終的に第二ジョイントになることは明白であることが本考案で想定されている。
【００２０】
吸収素材が補助層の下表面とキャリヤー層の上表面がじかに接触しているのが実施形態として望ましい。しかしながら、追加された布、不織布、織布、ティシューおよび、または紙の層で対応して吸収管理の整合性を提供することも可能である。
【００２１】
吸収素材は集合したクラスターで、第一ジョイントと第二ジョイントにより形成され、ポケットやコンパートメントによりカプセル化されているのが望ましい。吸収性微粒子ポリマー素材は標準重量の最低約50ｇｍ2が好ましく、100−200ｇｍ2または300ｇｍ２、500ｇｍ2も好ましいが、700ｇｍ2が最も好ましい。高浸透性のSAPは特に好ましい。
【００２２】
この吸収構造はさらに例示的実施形態を参照して説明する。数字が示す図面を参照のこと。
【図面の簡単な説明】
【００２３】
【図１】図面1A-Dは本考案の実施形態に則った吸収構造の断面略図を提供している。
【図２】図面2は本考案の実施形態に則った吸収構造の上面略図を提供している。
【図３】図面3は本考案の実施形態に則った吸収構造が濡れた状態での上面略図を提供していて、大体の半永久的第一ジョイントと一時的な第二ジョイントを表示している。
【図４Ａ】図面4 A-Bは本考案の実施形態に則った吸収構造の上面略図を提供していて、異なる集合クラスターの形を表示している。
【図４Ｂ】同上
【図５】図面5 A-Cは本考案の実施形態に則った吸収構造の上面略図を提供していて、乾燥したエリアと濡れたエリアを表示している。
【図６】図面6は本考案の実施形態に則った吸収構造の上面略図を提供していて、第一ジョイントのグリッドと第二ジョイントのパターンによる段階的拡張を説明している。
【図７】図面7は本考案の実施形態に則った吸収構造の乾燥状態の段階的拡張の断面略図を提供している。
【図８】図面8は本考案の実施形態に則った吸収構造の濡れた状態の段階的拡張の断面略図を提供している。
【実施例１】
【００２４】
図1A-D,2,3を参照。吸収構造14は最低１つのキャリヤー層101と最低一つの補助層102と吸収素材110を含む。キャリヤー層101と補助層102は第一ジョイント111を経由して共に接続していてる。例えば、防水性接着剤やバインダーのような第一ジョイントメディアをオプションで経由し、第二ジョイント115を経由する、例えば、水溶性接着剤あるいは防水ホットメルトのような第二ジョイントメディアをオプションで経由する。 
【００２５】
素材と層を接続するために使用される典型的な方法として接着剤があげられるが、それに限らず、感圧接着剤、硬化剤、科学結合などの水素共有結合、超音波、熱および、または熱工学による取り付けなどもある、その例としてヒートシール、針、空気、絡み合わせ、抵抗、水のジェット圧力等があげられる。
【００２６】
第一ジョイント114と第二ジョイント115の望ましい実施形態は超音波ヒートシーリングである。一般的に第一ジョイント111のヒートシーリングエリアの表面、粘着力および、または整合性は比較的大きく（第二ジョイント112のヒートシーリングエリアに比べ）その結果、絶対的または比較的高い分離力が働く。一般的にジョイントは円、楕円、長方形、四角等の異なるサイズ、形をしているが、キャリヤー層101と補助層102が使用中に裂けるのを抑制するため丸みを帯びた端部を使用するのが望ましい。第一ジョイント111は約50％がX軸に沿って、残りはY軸に沿って配置され、丸みを帯びた要素の構成が一つのパターンにアレンジされている。一次元と二次元の形のように楕円形のような形の組み合わせは優れた第一ジョイント114として機能する。
【００２７】
ジョイントのデザインでは、ジョイントの表面サイズが最低でも約0.5mm2で、最低約1.0mm2,2mm2又は3mm2では好ましく、最低約16mm2になると最も好ましい。ジョイントの密度は個々のジョイントの表面サイズまたは希望の分離力により異なっている。1cm2よりも小さい表面エリアのジョイントには最低でも約100.per.m2の密度を使用することが勧められている。本考案のもう一つの実施形態として、第一ジョイント114はポケット130で最終的に起こりうるひび割れや亀裂の伝播への強い抵抗力や分離力をもち、追加された液体の配分と輸送のために連続的な線で構成され、第一ジョイントグリッドにアレンジされている。乾燥状態で固定されているか、または濡れた状態で膨張した素材が安定し抑制された場所に固定されているように第一ジョイントは細心の注意を払いデザインされている。このようなことを怠ることにより、破損か、または濡れた吸収素材の位置の変更が起こり、液体管理に欠陥が発生し、機能が損なわれ、フィット感と快適さが低下するのみならず、完全な失敗に終わってしまう。
【００２８】
第一ジョイント111と第二ジョイント115を除いて、キャリヤー層101と補助層102の間のどこにも付随、接続および、または結合していない領域119も存在していて、吸収素材110が位置し適切にデザインされた集合クラスターが形成されポケット130を提供している。第一ジョイント111は第一ジョイントグリッドに対応し、第二ジョイント112は第二ジョイントパターンに対応している。第二ジョイントパターンは吸収素材の膨張と水の影響下でリリースされ、第二ジョイント112は相対的に低い分離力が使用されている。ジョイントを破壊するために必要な分離力は最低でも約5.0 N/cm、約1.0, 2.0 か 2,5 N/cmまたは約0.75, 0.5 or 0.25 N/cmで好ましく、0.20 or 0.10 N/cmが最低使用値だと最も好ましい。
【００２９】
本考案の代替実施形態として水溶性または水に敏感な接着剤を第二の接合媒体として使用する。二つの層がヒートシールで合わさるのが好ましいが、合成的結合、混合なしに超音波で接続されるのが最も好ましい。第二ジョイント115の整合性や粘着力および表面が比較的小さい（第一ジョイント112と比べて）ヒートシーリングエリアは比較的、相対的に弱い分離力をもたらす。ヒートシーリングエリアはさまざまなサイズや形があるが、キャリヤー層101と補助層102の分離の促進に、最低でも一箇所鋭利な端を備え付けるのが好ましい。円や点形状のような円形の形の組み合わせは、第二のジョイント115として好ましい。接合媒介の排除は吸収構造の原料不足、製造コスト、環境や持続性への影響を及ぼす。
【００３０】
キャリヤー層101および、または補助層102の典型的重量範囲は3-400ｇｓｍで、硬質、伸縮性、不織布、織布、湿材性のもので、その中でもセルロースティッシュ、紙、フィルム、ティッシュ、穴あきフィルム、発泡材、熱可塑性材、接着剤層等の構造14の吸収素材に適応するいかなる素材からも選択可能である。重なった層は組み立て重量および、または構造が異なる同じ素材または違った素材から作成される。好ましい実施形態として最低でも表面の一部分に液体がジグザグ方向に浸透し、最低一つの層は液体浸透性である。もう一つの実施形態はキャリヤー層101と補助層102の両方が液体浸透性である。また、もう一つの好ましい実施形態は一つの層は浸透性不織布で、もう一つの層は実質液体不透過性、できれば通気性ポリエチレンフィルム（PE）。それにより、オムツなどの吸収製品のように吸収構造14が着用者に面している側に不織布で液体の流れてくるであろう場所に配置し、赤ちゃんのオムツように吸収構造が服に接する面にはPE フィルムを外に向けて、液体が流れてくるであろう場所から外に向かって配置されている。このようなケースではAlbisの22ｇｓｍの不織布ポリプロピレン素材とNuova.Pansaの20?mの通気性ポリエチレンフィルムが選択可能である。
【００３１】
ポケット130は通常の形、不規則な形、またはそれらを組み合わせたものがある。ポケット130は円、楕円か正方形で、約0.1ｍｍ,0.2ｍｍ,0.3ｍｍ,0.4ｍｍ,0.5ｍｍより大きい直径、半径または面が好ましく、約0.75ｍｍ以上約60ｍｍ以下や約1.0ｍｍ以上約40ｍｍ以下も望ましいが約2ｍｍ以上約10ｍｍ以下が最も望ましい。吸収素材110は必ずしも完全にポケット130を満たしているわけではなく、
【００３２】
第一ジョイント111は実質的に吸収構造14の通常使用時に摩擦や歪みに抵抗し、吸収素材110の液体吸収に伴う膨張や拡張の力にも抵抗しなければならない。キャリヤー層101と補助層102の間の第一ジョイントグリッドを解放するために必要な分離力は約0.05 N/cm か約 0.75 N/cm以上がこのましい、約 0.1, N/cm, 0.2 N/cm または 0.3 N/cm以上や約1.0 N/cm, 1.5 N/cm, 2.5 N/cmでも望ましいが、約 3-5 N/cm以上が最も望ましい。ジョイントグリッドとパターンは異なる分離力に応じる様々なサブ領域に構成されている。
【００３３】
図4A-B、5A-Cで見られるように、吸収素材のジョイント間に形成されたパターンは無作為、規則的、連続的結合、分離、完全カバー、または部分的カバーおよび、またはその他の適切な組み合わせが可能である。吸収素材の領域は吸収素材110からなるいくつかの集合クラスターで構成され、吸収素材がまったく存在しないエリアに囲まれていて、液体の流れが損傷したポイントから外れ、溝を通って追加配分され、移動を促進し、吸収素材110のクラスターを使用可能にすることが好ましい。表面を横切るか、側面を使っての吸収構造14の吸収素材110の重量分布は規則的だが、例えば、吸収素材110の基本重量は吸収構造14の位置により変わり、さらに、液体破損のポイントの近くや、または比較的集中して吸収素材110を使用してあるオムツやパンツの芯にもよる。例として高浸透性SAPなどの適当な素材はEvonik, BASF または日本触媒で提供されている 吸収ポリマー素材は吸収素材110の上限100％までを形成しているのが好ましいが、例として、インスタントセルロース繊維や綿毛パルプの等の他の素材と混合して使用も可能である。
【００３４】
第二ジョイント115の損壊によりキャリヤー層101および、または補助層102が変形伸縮し、形状に変化をもたらす。その結果、小型ボリュームポケットは中型ボリュームに、そして、最終的に大型コンパートメントに拡張する、また、拡張性の高い吸収素材110に余分なボリュームを収容する。 それ故に、追加され、自由に拡張し、活性化する拡張可能ポケットがある吸収構造14が作成され、吸収素材110が効果的、効率的に使用され、幾重にも重なった層が破損するリスクを回避している。拡張ポケットにより作り出された余剰ボリュームは元のボリュームの1％から5％になる。元のボリュームの約5％から25％以上が好ましく、約２５％から50％以上だともっと好ましいが、約50％から100％以上だと最も好ましい。多重構造層で形成されている吸収構造14の代替実施形態は、多重構造の最初の層はキャリヤー層101−吸収素材110−補助層102、その上に幾重もの吸収素材および、または補足層が加えられているものである。このような構造は液体吸収の実行を促し、乾燥または濡れた状態両方に於いて製品の整合性を保つ。
【００３５】
図6,7,8に見られる本考案の実施形態は、第二ジョイント115は、弱い第二ジョイント115と強い第二ジョイント115により形成され、弱い第二ジョイント115は、強い第二ジョイント115より分離しやすい。究極の液体管理のための吸収構造として、事前に組み込まれ、抑制されおよび、または段階的に吸収拡張し、弱いジョイント115と強いジョイント115の二つの異なる力により、ジョイント111と第二ジョイント115の異なった機能で、異なった結合力の吸収構造14がデザインされた。
【００３６】
もっと好ましい実施形態として、吸収構造14はその周辺が弱い第二ジョイント115で形成され、吸収構造14に隣接する縦方向および、または終端にある吸収素材110の拡張が初歩的で容易であるため、漏れを防ぎ、封じ込めるとともに、バリアーを吸収構造14内に作成することである。このような特殊な内部に組み込まれたバリア構造は、衣類、おむつやパンツなどの使い捨て吸収衛生用品の構築のためにすばらしい使用前、使用中、使用後の利点がある。図6,7,8に見られるように、弱い第二ジョイント115'は緩和して最初にバリヤーまたは堤防150を形成して、強い第二ジョイント115は後で現れる二次バリヤーまたは堤防151を形成する。実質的に液体抵抗のある永久主要グリッドは一次の堤防150および、または二次の堤防151の間に溝152を形成する。最初の堤防150とそれぞれの二次堤防151は時間差で形成されることによって、最初の堤防150は液体を製品の内側に含み、溝152を経由して輸送され、さらに二次堤防151に含まれ、格納される。明らかに他の組み合わせやバリエーションが可能です。
【００３７】
好ましい実施形態の例として、実質的に堤防に囲まれるようにして、ポケットを細長くしたり、丸い窪みを作ったりして、堤防を作成する。このような堤防は高さを低くしたり１つまたは複数の出口を作成することが可能である。ポケット内の余剰空間は特に固体、液体および、または高粘度の液体を格納するのが可能である。赤ちゃんのおむつや成人衛生用品には、追加された堤防がクッションの役割を果たし、快適性を高め、便を肌から離し、利用者が圧力を加えたときにも便が吸収製品から押し出されるのを防ぐ、例えば、製品の上に座ったときなど。様々な形、サイズ、配置、組み合わせを想定することができる。
本考案は実施形態に係る吸収構造の使用を提供する。リストをあげると、コーヒーフィルター、使い捨てカイロ、シート型洗剤製品、フィルター材、断熱材、化粧パッド、抗菌剤、女性用衛生用品、赤ちゃんのおむつ、赤ちゃんのパンツ、成人衛生用品等で、前述の吸収製品については女性用衛生用品、赤ちゃんのおむつ、赤ちゃんのパンツ、または成人衛生用品を指す。そのような市販製品の構築は技術的によく知られている。
【００３８】
典型的な吸収製品は、赤ちゃんの使い捨ておむつである。
【００３９】
シャシーの外側のカバーは液体透水性で、親水性の柔らかい不織布で部分的に発疹防止コーティング（例：アロエ）で覆われた弾力性のトップシートは見栄えがし、液体吸収素材から再度に渡って濡れるのを軽減し、不織布と薄いプラスチックフィルムの間に包まれた吸収構造は液体不浸透通気薄層状バックシートで形成される。この吸収構造はキャリヤー層と補助層があり、多方向への拡張性が20％以上で不織布である。吸収性微粒子ポリマー素材は高浸透性で、交差したポリアクリレート素材である。
円形の超音波第一ジョイントは表面が約2ｍｍ2で、楕円体の第二ジョイントは表面が1ｍｍ2で、お互いからおよそ10ｍｍはなれた場所に位置する。シャシーは弾力性縁、伸縮性の足のカフ、また弾力性腰部機能により、着用者の腰部の改良されたフィット感と固定感を特徴付けている。シャシーはまた、フックや接着剤による装着システムを後部外側の端部と前部外側の輪になった部分の着床部から構成されている。吸収構造は、セルロース繊維、綿毛のパルプと科学的に補強、変更または架橋されたセルロース繊維からなり、主に限られた量の浸透性のSAPで形成されている。吸収構造は接着剤、バインダー、ワックスやオイルのような、少量の非液体吸収素材から形成されている。おむつは二つの封じ込め用の壁またはカフを使用している。カフは弾力性部材または高ロフト層で構成された吸収構造とトップシートの間に位置する補足層またはサージ層である。サイドパネルは後部の腰位置にあり、少なくても横方向に柔軟な拡張性と弾力性がある。（例：弾力性サイドパネル） この吸収製品はフィット感、固定感とさらに美的特性を提供するために前部縁パネルを付属した。
【符号の説明】
【００４０】
１４：吸収構造
１０１：キャリヤー層
１０２：補助層
１１０：吸収素材
１１１：第一ジョイント
１１５：第二ジョイント
１１２：第二ジョイント
１１４：第一ジョイント
１３０：ポケット
１１９：付随、接続および、または結合していない領域
１５１：二次バリヤーまたは堤防
１５２：溝
１５０：最初の堤防
【図１】
0003172565.tif 000003
【図２】
0003172565.tif 000004
【図３】
0003172565.tif 000005
【図４Ａ】
0003172565.tif 000006
【図４Ｂ】
0003172565.tif 000007
【図５】
0003172565.tif 000008
【図６】
0003172565.tif 000009
【図７】
0003172565.tif 000010
【図８】
0003172565.tif 000011